(57)【要約】  アクティブウインドウ又は非アクティブウインドウを表示させる際の操作を簡略化することができる電子機器を提供する。操作入力部（３）への押圧力（Ｆ）と基準値（Ｆｓ）との比較に基づいて、操作入力部（３）とは異なる位置に設けられた表示部（２）にアクティブウインドウ又は非アクティブウインドウが表示されることで、一回の操作でアクティブウインドウ又は非アクティブウインドウを表示させることができ、操作を簡略化することができる。
2016199309.tif 000002
【特許請求の範囲】
【請求項１】
表示部と、
前記表示部とは異なる位置に設けられた操作入力部と、を備え、
押圧体による前記操作入力部への押圧力と、該押圧力の基準値と、の比較に基づいて前記表示部にアクティブウインドウ又は非アクティブウインドウを表示することを特徴とする電子機器。
【請求項２】
前記押圧力が前記基準値より大きい場合に前記表示部に前記アクティブウインドウを表示し、前記押圧力が前記基準値未満となる場合に前記表示部に前記非アクティブウインドウを表示することを特徴とする請求項１に記載の電子機器。
【請求項３】
前記非アクティブウインドウは、前記アクティブウインドウにおいて変更可能な現在情報を含む表示であることを特徴とする請求項２に記載の電子機器。
【請求項４】
前記操作入力部が押圧されている間、前記押圧力が大きくなって前記基準値に近づくにしたがって前記非アクティブウインドウを顕在化させていくことを特徴とする請求項３に記載の電子機器。
【請求項５】
前記操作入力部が前記基準値未満の押圧力によって押圧されている間、前記押圧力が小さくなるにしたがって前記非アクティブウインドウを潜在化させていくことを特徴とする請求項３に記載の電子機器。
【請求項６】
押圧体による操作入力部への押圧力を取得する取得工程と、
前記押圧力を基準値と比較する比較工程と、
前記比較工程における比較結果に基づいて、前記操作入力部とは異なる位置に設けられた表示部にアクティブウインドウ又は非アクティブウインドウを表示させる表示工程と、を含むことを特徴とする電子機器の表示方法。
【請求項７】
前記比較工程において、前記押圧力が前記基準値より大きい場合に前記表示部に前記アクティブウインドウを表示させ、前記押圧力が前記基準値未満となる場合に前記表示部に前記非アクティブウインドウを表示させることを特徴とする請求項６に記載の電子機器の表示方法。
【請求項８】
前記押圧力が前記基準値未満となる場合に当該基準値に対する当該押圧力の割合を算出する算出工程をさらに含み、
前記表示工程において、前記押圧力が前記基準値未満となる場合、前記割合に応じた表示強度で前記非アクティブウインドウを表示させることを特徴とする請求項７に記載の電子機器の表示方法。
【発明の詳細な説明】
【技術分野】
【０００１】
本発明は、表示部と操作入力部とを備えた電子機器に関する。
【背景技術】
【０００２】
従来、電子機器としての情報端末に複数の情報を同時に表示する表示方法が提案されている（例えば、特許文献１参照）。特許文献１に記載された従来の電子機器の表示方法では、一つの情報を中央部に表示してメイン情報とするとともに、他の情報をその周辺且つ後方に隠れるように表示することで、複数の情報を重ねて表示している。また、表示部にタッチパネル（操作入力部）が設けられており、タッチパネル上における操作によってメイン情報が切り換えられるようになっている。
【先行技術文献】
【特許文献】
【０００３】
【特許文献１】特開２０１５−７６０３２号公報
【発明の概要】
【発明が解決しようとする課題】
【０００４】
特許文献１に記載された電子機器の表示方法では、タッチパネルによる入力であり、表示部と操作入力部とが同位置に設けられていることから、メイン情報の切り換えが容易であった。しかしながら、表示部と操作入力部とが異なる位置に配置される電子機器では、メイン情報を切り換える場合に、例えば表示画面上でカーソルを動かしてクリックすることで情報を選択したり、選択用の専用キーを操作したりする必要があり、操作が煩わしくなってしまう。また、アクティブウインドウ（情報を入力可能なウインドウ）又は非アクティブウインドウ（現在情報を示し、入力不能なウインドウ）を選択して表示させる場合にも、同様の不都合が発生し得る。【０００５】
したがって、本発明の課題は、アクティブウインドウ又は非アクティブウインドウを表示させる際の操作を簡略化することができる電子機器を提供することが一例として挙げられる。
【課題を解決するための手段】
【０００６】
前述した課題を解決し目的を達成するために、請求項１に記載の本発明の電子機器は、表示部と、前記表示部とは異なる位置に設けられた操作入力部と、を備え、押圧体による前記操作入力部への押圧力と、該押圧力の基準値と、の比較に基づいて前記表示部にアクティブウインドウ又は非アクティブウインドウを表示することを特徴とするものである。
【図面の簡単な説明】
【０００７】
【図１】本発明の実施例に係る電子機器が設けられた車両を示す斜視図である。
【図２】前記電子機器の概略構成を示すブロック図である。
【図３】前記電子機器の操作入力部を示す斜視図及び断面図である。
【図４】前記電子機器の制御部が実行する表示処理の一例を示すフローチャートである。
【図５】前記電子機器における押圧力と表示強度との関係を示すグラフである。
【図６】前記電子機器の表示部に表示される非アクティブウインドウ及びアクティブウインドウの一例を示す正面図である。
【図７】前記表示部に表示される非アクティブウインドウ及びアクティブウインドウの他の例を示す正面図である。
【発明を実施するための形態】
【０００８】
以下、本発明の実施形態を説明する。本発明の実施形態に係る電子機器は、表示部と、表示部とは異なる位置に設けられた操作入力部と、を備える。電子機器は、押圧体による操作入力部への押圧力と、押圧力の基準値と、の比較に基づいて表示部にアクティブウインドウ又は非アクティブウインドウを表示する。
【０００９】
操作入力部への押圧力と基準値との比較に基づいて表示部にアクティブウインドウ又は非アクティブウインドウが表示されることで、一回の操作でアクティブウインドウ又は非アクティブウインドウを表示させることができ、操作を簡略化することができる。尚、操作入力部が押圧されている間のみアクティブウインドウ又は非アクティブウインドウを表示し続けてもよいし、操作入力部が押圧されなくなってからもアクティブウインドウ又は非アクティブウインドウの表示を継続してもよい。
【００１０】
押圧力が基準値より大きい場合に表示部にアクティブウインドウを表示し、押圧力が基準値未満となる場合に表示部に非アクティブウインドウを表示することが好ましい。それにより、押圧力が小さい場合に、入力不能な非アクティブウインドウが表示され、押圧力が大きい場合に、入力可能なアクティブウインドウが表示されることで、操作者が意図しなければアクティブウインドウが表示されにくく、誤入力を抑制することができる。尚、押圧力が基準値と等しくなった場合に、表示部にアクティブウインドウを表示する構成としてもよいし非アクティブウインドウを表示する構成としてもよく、いずれを採用してもよい。
【００１１】
非アクティブウインドウは、アクティブウインドウにおいて変更可能な現在情報を含む表示であることが好ましい。それにより、アクティブウインドウにおいて情報を入力する際に、非アクティブウインドウを表示させて現在情報を確認することができる。
【００１２】
操作入力部が押圧されている間、押圧力が大きくなって基準値に近づくにしたがって非アクティブウインドウを顕在化させていくことが好ましい。それにより、押圧力が大きくなるにしたがって非アクティブウインドウが顕在化する、即ち、視認されやすくなっていくことで、直感的な操作が可能となる。さらに、このように非アクティブウインドウが顕在化していき、押圧力が基準値より大きくなった場合にアクティブウインドウが表示されて表示が切り換わることから、演出性を向上させることができる。
【００１３】
操作入力部が基準値未満の押圧力によって押圧されている間、押圧力が小さくなるにしたがって非アクティブウインドウを潜在化させてもよい。それにより、押圧力が小さくなるにしたがって非アクティブウインドウが潜在化する、即ち、視認されにくくなっていくことで、直感的な操作が可能となる。また、上記のように押圧力が大きくなるにしたがって非アクティブウインドウが顕在化する構成と組み合わされていてもよく、即ち、基準値未満の範囲内で押圧力が上下した際に、押圧力に応じて非アクティブウインドウを顕在化又は潜在化させる構成としてもよい。
【００１４】
本発明の実施形態に係る電子機器の表示方法は、押圧体による操作入力部への押圧力を取得する取得工程と、押圧力を基準値と比較する比較工程と、比較工程における比較結果に基づいて、操作入力部とは異なる位置に設けられた表示部にアクティブウインドウ又は非アクティブウインドウを表示させる表示工程と、を含む。このような電子機器の表示方法によれば、上記の実施形態の電子機器と同様に、アクティブウインドウ又は非アクティブウインドウを表示させる際の操作を簡略化することができる。
【００１５】
比較工程において、押圧力が基準値より大きい場合に表示部にアクティブウインドウを表示させ、押圧力が基準値未満となる場合に表示部に非アクティブウインドウを表示させることが好ましい。それにより、操作者が意図しなければアクティブウインドウが表示されにくく、誤入力を抑制することができる。
【００１６】
押圧力が基準値未満となる場合に基準値に対する押圧力の割合を算出する算出工程をさらに含み、表示工程において、押圧力が基準値未満となる場合、割合に応じた表示強度で非アクティブウインドウを表示させることが好ましい。それにより、非アクティブウインドウが基準値に対する押圧力の割合に応じた表示強度で表示される、即ち、この割合が高いほど表示強度が高くなり、直感的な操作が可能となる。また、操作入力部が押圧され続ける場合には、この割合に応じて表示強度を変化させてもよい。
【実施例】
【００１７】
以下、本発明の実施例について具体的に説明する。図１は、本発明の実施例に係る電子機器１が設けられた車両Ｃを示す斜視図であり、図２は、電子機器１の概略構成を示すブロック図であり、図３は、電子機器１の操作入力部３を示す斜視図及び断面図であり、図４は、電子機器１の制御部４が実行する表示処理の一例を示すフローチャートであり、図５は、電子機器１における押圧力Ｆと表示強度Ｃとの関係を示すグラフであり、図６は、電子機器１の表示部２に表示される非アクティブウインドウ及びアクティブウインドウの一例を示す正面図であり、図７は、表示部２に表示される非アクティブウインドウ及びアクティブウインドウの他の例を示す正面図である。【００１８】
本実施例の電子機器１は、図１、２に示すように、車両Ｃに設けられるヘッドアップディスプレイ装置であって、ウインドシールド（フロントガラス）Ｗの運転席側に設けられる表示部２と、ステアリングホイールＳに設けられる操作入力部３と、電子機器１全体の制御を司る制御部４と、各種情報を記録する記録部５と、を備える。【００１９】
表示部２は、車両のインストルメントパネルに設置された照射機による照射光を反射することで、運転席側の表示面２Ａに画像を表示する。表示部２は透光性を有する部材によって構成されており、運転者は表示部２を通して車外の景色を視認することができるようになっている。表示部２は、制御部４から信号を受信し、この信号に応じた画像を表示するように構成されている。また、表示部２は、アクティブウインドウ又は非アクティブウインドウを表示するように構成されており、アクティブウインドウとは、情報の入力又は変更を受け付ける画像を意味し、非アクティブウインドウとは、現在情報を表示して入力及び変更を受け付けない画像を意味する。尚、表示部は、ヘッドアップディスプレイ装置に設けられたものに限定されず、ナビゲーション装置Ｎの表示画面であってもよいし、メータＭに設けられた表示画面であってもよい。ここで、現在とは、例えばユーザが操作入力部３に情報を入力するときやその直前等が例示される。また、現在情報とは、例えばユーザが操作入力部３に情報を入力するとき、電子機器１に既に入力されている情報が例示される。【００２０】
本実施例において、運転者が表示部２を通して車外の景色を視認することから、表示部２における表示強度（例えば光量）が高いほど、表示が視認されやすいとともに表示部分と重なった外景が視認されにくく、透過度が低くなる。一方、表示強度（例えば光量）が低いほど、表示が視認されにくいとともに表示部分と重なった外景が視認されやすく、透過度が高くなる。また、透過度が低くなって表示が視認されやすくなっていくことを「顕在化」と呼び、透過度が高くなって表示が視認されにくくなっていくことを「潜在化」と呼ぶ。【００２１】
操作入力部３は、図３に示すように、運転者がステアリングホイールＳから手を離さなくても操作できるような位置に設けられたタッチパッドである。図３（Ｂ）は、図３（Ａ）のＸ−Ｘ線に沿う断面図である。操作入力部３は、上面が開口した箱状のケース３１と、ケース３１の開口を塞ぐとともに上下方向（板に略直交する方向）に移動可能に配置された操作板部３２と、操作板部３２を支持するばね部材３３と、操作板部３２の上下方向の移動量（変位量）に応じた電気信号を出力するセンサ部３４と、を有する。尚、図３（Ｃ）に示すように、ばね部材３３に代えて例えば織物やゴム材、ポリウレタン等の弾性部材からなるエッジ（又はダンパ）３５を用いてもよい。操作板部３２の上面が平面状の接触面となり、押圧体としての運転者の指が接触面に触れることにより、操作入力部３が操作される。具体的には、操作入力部３は、例えば運転者が指で接触面をタップしたり、指を滑らせたりした際の押圧力をセンサ部３４によって検知するとともに、指の動きを検知するように構成されている。操作入力部３は、検知した押圧力及び接触面上での指の動きに関する情報を含む信号を制御部に送信する。尚、操作入力部３は、表示部２と異なる位置に設けられていればよく、例えば、車両の進行方向において、運転者の右側に位置するドアにおける操作パネルＰＮ（窓を開閉したりドアを施錠したりするための操作部が設けられたパネル）や、左側に位置するコンソールボックスＣＢ、カップホルダＣＨ、インストルメントパネルＩ、ダッシュボードＤ等の周辺位置や、助手席又は後部座席の周辺位置に設けられていてもよい。【００２２】
制御部４は、例えばＲＡＭ（Random Access Memory）やＲＯＭ（Read Only Memory）などのメモリを備えたＣＰＵ（Central Processing Unit）で構成されている。尚、制御部４は、例えばヘッドアップディスプレイ装置に設けられたものであってもよいし、ナビゲーション装置Ｎに設けられたものであってもよい。制御部４は、操作入力部３やその他の操作部から受信した信号に応じた画像を表示部２に表示させるように、表示部２に信号を送信する。【００２３】
記録部５は、例えばハードディスクや不揮発性メモリなどで構成され、後述する押圧力の基準値Ｆｓを記録する。尚、記録部５は、例えばヘッドアップディスプレイ装置に設けられたものであってもよいし、ナビゲーション装置Ｎに設けられたものであってもよい。【００２４】
以下、電子機器１の表示方法として、制御部４が実行する表示処理の手順について図４を参照して説明する。尚、本実施例では、押圧力Ｆが基準値Ｆｓと等しい場合には表示部２にアクティブウインドウを表示する構成を採用した例について記載する。まず、例えば車両のイグニッションがオンとなった際にヘッドアップディスプレイ装置である電子機器１が起動し、表示処理を実行する。まず、制御部４は、表示部２に表示する情報種類の選択を受け付ける（Ｓ１）。即ち、後述するようにアクティブウインドウ又は非アクティブウインドウが含む情報の種類（例えば、車内で再生している音声についての情報やエアーコンディショナの設定情報等）をユーザ（運転者）が選択する。尚、情報種類の選択は、操作入力部３の操作によって選択されてもよいし、その他の操作部の操作によって選択されてもよい。制御部４は、表示する情報種類の選択を受け付けたら（Ｓ１でＹ）、操作入力部３において押圧力Ｆを検知したか否かを判定する（Ｓ２、取得工程）。押圧力Ｆが検知されない場合（Ｓ２でＮ）、制御部４は、非アクティブウインドウを表示部２から消去し（Ｓ３）、再びＳ２に戻る。【００２５】
押圧力Ｆが検知された場合（Ｓ２でＹ）、制御部４は、押圧力Ｆがその基準値Ｆｓ以上となるか否かを判定する（Ｓ４、比較工程）。押圧力Ｆが基準値Ｆｓ以上となる場合（Ｓ４でＹ）、制御部４は、Ｓ１で選択された情報種類に応じたアクティブウインドウを表示部２に表示させ（Ｓ５、表示工程）、アクティブウインドウにおける情報入力が終了したか否かを繰り返し判定する（Ｓ６）。尚、非アクティブウインドウが既に表示されている場合には、Ｓ５において非アクティブウインドウを消去してからアクティブウインドウを表示する。情報入力が終了したら（Ｓ６でＹ）、制御部４は、表示部２からアクティブウインドウを消去し（Ｓ７）、再びＳ１に戻る。【００２６】
一方、押圧力Ｆが基準値Ｆｓ未満となる場合（Ｓ４でＮ）、制御部４は、押圧力Ｆを基準値Ｆｓで除して割合Ｐを算出し（Ｓ８、算出工程）、Ｓ８で算出した割合Ｐに応じた表示強度ＣによってＳ１で選択された情報種類に応じた非アクティブウインドウを表示部２に表示させる（Ｓ９、表示工程）。このとき、例えばアクティブウインドウの表示強度Ｃ０に割合Ｐを乗じた値を表示強度Ｃとすればよい。制御部４は、Ｓ９における表示を維持し、再びＳ２に戻る。以上のような表示処理は電子機器１が起動している間繰り返し実行される。【００２７】
ここで、押圧力Ｆを変化させた場合の表示強度Ｃの変化の具体例について、図５に基づいて説明する。まず、基準値Ｆｓ未満の押圧力Ｆで押圧するとともに、押圧を継続して押圧力Ｆを徐々に大きくしていく場合について考える。図５（Ａ）に示すように、最初に押圧力Ｆが検知された時点（Ｔ１）の押圧力がＦ１であるものとする。このときの割合ＰはＦ１／Ｆｓであり、表示強度ＣはＣ０（Ｆ１／Ｆｓ）となる。押圧を継続することで表示処理のＳ２、Ｓ４、Ｓ８、Ｓ９が繰り返されるとともに、押圧力Ｆが大きくなっていくことで表示強度Ｃも押圧力Ｆに比例して高くなっていく。押圧力Ｆが基準値Ｆｓに等しくなった時点（Ｔ２）で非アクティブウインドウが消去されてアクティブウインドウが表示されるようになる。このときの表示強度ＣはＣ０であり、その後、押圧力Ｆを大きくしても（Ｔ３）一定に保たれる。また、押圧力Ｆを小さくして０にしても（Ｔ４）、表示強度ＣはＣ０に保たれ、アクティブウインドウの表示が継続される。【００２８】
次に、基準値Ｆｓ未満の押圧力Ｆで押圧するとともに、押圧を継続して押圧力Ｆを徐々に小さくしていく場合について考える。図５（Ｂ）に示すように、最初に押圧力Ｆが検知された時点（Ｔ５）の押圧力がＦ２であるものとする。このときの割合ＰはＦ２／Ｆｓであり、表示強度ＣはＣ０（Ｆ２／Ｆｓ）となる。押圧を継続することで表示処理のＳ２、Ｓ４、Ｓ８、Ｓ９が繰り返されるとともに、押圧力Ｆが小さくなっていくことで表示強度Ｃも押圧力Ｆに比例して低くなっていく。押圧力Ｆが０になると（Ｔ６）、表示処理のＳ２で押圧力が検知されなくなり、Ｓ３で非アクティブウインドウが消去され、表示強度Ｃが０になる。【００２９】
また、基準値Ｆｓ未満の押圧力Ｆで押圧するとともに、基準値Ｆｓ未満の範囲内で押圧力Ｆを上下させる場合について考える。図５（Ｃ）に示すように、最初に押圧力Ｆが検知された時点（Ｔ７）の押圧力がＦ３であるものとする。押圧を継続して押圧力Ｆを徐々に大きくしていくと、表示処理のＳ２、Ｓ４、Ｓ８、Ｓ９が繰り返される。押圧力がＦ３よりも大きいＦ４になると（Ｔ８）、Ｔ７の時点よりも表示強度Ｃが高くなる。その後、押圧を継続して押圧力Ｆを徐々に小さくしていくと、表示処理のＳ２、Ｓ４、Ｓ８、Ｓ９が繰り返される。押圧力がＦ３及びＦ４よりも小さいＦ５になると（Ｔ９）、Ｔ７及びＴ８の時点よりも表示強度Ｃが低くなる。このような押圧力Ｆの上下は繰り返し行われてもよい。【００３０】
ここで、アクティブウインドウ及び非アクティブウインドウの具体例について説明する。まず、車内の再生音声（楽曲）を情報種類とする非アクティブウインドウＷ１及びアクティブウインドウＷ２について、図６を参照して説明する。非アクティブウインドウＷ１は、図６（Ａ）に示すように、現在再生している楽曲のタイトルを表示するタイトル表示部Ａ１と、現在再生している楽曲が再生リスト中における何番目であるかを表示するリスト表示部Ａ２と、再生音量を示す音量表示部Ａ３と、を有する。各表示部Ａ１〜Ａ３に表示されている内容が現在情報となる。【００３１】
アクティブウインドウＷ２は、図６（Ｂ）に示すように、選択された楽曲のタイトルを表示するタイトル表示部Ｂ１と、選択された楽曲が再生リスト中における何番目であるかを表示するリスト表示部Ｂ２と、変更された再生音量を示す音量表示部Ｂ３と、選択を受け付けるための選択部Ｂ４と、を有する。アクティブウインドウＷ２の各表示部Ｂ１〜Ｂ３は、非アクティブウインドウＷ１の各表示部Ａ１〜Ａ３と略同一位置に配置されている。選択部Ｂ４は、上下左右を向いた４つの矢印部分と、矢印部分の中央に配置された円形状の決定部分と、で構成されている。【００３２】
アクティブウインドウＷ２が表示された場合に、操作入力部３上で指を滑らせることで、この動作に対応した矢印部分が選択される。例えば、指を左から右に滑らせると、右方向の矢印部分が選択されて点滅表示する。矢印部分が選択された状態で操作入力部３をタップすると、その矢印に応じて情報の入力や変更がなされる。即ち、上方向の矢印部分が選択された状態でタップすると再生音量が上昇し、下方向の矢印部分が選択された状態でタップすると再生音量が低下し、右方向の矢印部分が選択された状態でタップすると再生リスト中の次の楽曲が選択され、左方向の矢印部分が選択された状態でタップすると再生リスト中の前の楽曲が選択される。選択された楽曲のタイトルがタイトル表示部Ｂ１に表示される。矢印部分が選択された状態でその矢印とは逆方向に指を滑らせると（例えば上方向の矢印部分が選択された状態で上から下に滑らせると）、中央の決定部分が選択される。決定部分が選択された状態でタップすると情報の入力が終了し、アクティブウインドウＷ２が消去される。尚、情報の入力終了前に選択や変更を実行（実際に再生楽曲や再生音量を変更する）してもよいし、入力終了前は予約受付のみとして入力終了後に選択や変更を実行してもよい。【００３３】
次に、車内のエアーコンディショナの運転状態を情報種類とする非アクティブウインドウＷ３及びアクティブウインドウＷ４について、図７を参照して説明する。非アクティブウインドウＷ３は、図７（Ａ）に示すように、現在の風量を示す風量バーＡ５と、現在の設定温度を表示する温度表示部Ａ６と、設定可能範囲及び現在の設定温度を示す温度バーＡ７と、を有する。各表示部Ａ５〜Ａ７に表示されている内容が現在情報となる。【００３４】
アクティブウインドウＷ４は、図７（Ｂ）に示すように、変更された風量を示す風量バーＢ５と、変更された設定温度を表示する温度表示部Ｂ６と、設定可能範囲及び変更された設定温度を示す温度バーＢ７と、選択を受け付けるための選択部Ｂ８と、を有する。アクティブウインドウＷ４の各表示部Ｂ５〜Ｂ７は、非アクティブウインドウＷ３の各表示部Ａ５〜Ａ７と略同一位置に配置されている。選択部Ｂ８は、上下左右を向いた４つの矢印部分と、矢印部分の中央に配置された円形状の決定部分と、で構成されている。【００３５】
アクティブウインドウＷ４が表示された場合、上方向の矢印部分が選択された状態でタップすると風量が上昇し、下方向の矢印部分が選択された状態でタップすると風量が低下し、右方向の矢印部分が選択された状態でタップすると設定温度が上昇し、左方向の矢印部分が選択された状態でタップすると設定温度が低下する。また、風量及び設定温度の上下に応じて風量バーＢ５及び温度バーＢ７の表示も変化する。【００３６】
上記の構成により、操作入力部３への押圧力Ｆと基準値Ｆｓとの比較に基づいて表示部２にアクティブウインドウ又は非アクティブウインドウが表示されることで、一回の操作でアクティブウインドウ又は非アクティブウインドウを表示させることができ、操作を簡略化することができる。【００３７】
また、押圧力Ｆが小さい場合に入力不能な非アクティブウインドウが表示され、押圧力Ｆが大きい場合に入力可能なアクティブウインドウが表示されることで、操作者が意図しなければアクティブウインドウが表示されにくく、誤入力を抑制することができる。【００３８】
また、非アクティブウインドウがアクティブウインドウにおいて変更可能な現在情報を含んでいることで、アクティブウインドウにおいて情報を入力する際に、非アクティブウインドウを表示させて現在情報を確認することができる。【００３９】
また、操作入力部３が基準値Ｆｓ未満の押圧力Ｆによって押圧されている間、押圧力Ｆに応じて非アクティブウインドウの表示強度Ｃが変化する（顕在化又は潜在化する）ことから、直感的な操作が可能となる。【００４０】
なお、本発明は、前記実施例に限定されるものではなく、本発明の目的が達成できる他の構成等を含み、以下に示すような変形等も本発明に含まれる。【００４１】
例えば、前記実施例では、アクティブウインドウが表示されてから入力が終了するまでアクティブウインドウの表示が継続されるものとしたが、アクティブウインドウの表示中に基準値Ｆｓ未満の押圧力Ｆが検知された場合に非アクティブウインドウの表示に切り換える構成としてもよい。具体的には、例えば、操作入力部３を操作する者が、再度操作入力部３に基準値Ｆｓ以上の押圧力Ｆを加えた後、徐々に押圧力Ｆを低下させて基準値Ｆｓ未満の押圧力に到達させたり、操作入力部３を操作する者が、再度操作入力部３に基準値Ｆｓ未満の押圧力を加えたりした場合に、非アクティブウインドウの表示に切り換える構成としてもよい。このような構成によれば、アクティブウインドウから非アクティブウインドウに容易に切り換えることができ、現在情報を確認しやすい。【００４２】
また、前記実施例では、操作入力部３が基準値Ｆｓ未満の押圧力Ｆによって押圧されている間、押圧力Ｆに応じて非アクティブウインドウの表示強度Ｃが変化するものとしたが、非アクティブウインドウの表示強度が予め定められ、押圧力Ｆが変化しても表示強度が変化しない構成としてもよい。【００４３】
また、前記実施例では、表示処理におけるＳ２で押圧力Ｆが検知されない場合にＳ３で非アクティブウインドウを表示部２から消去する、即ち、操作入力部３が押圧されている間のみ非アクティブウインドウが表示されるものとしたが、押圧力Ｆが検知されなくなってからも非アクティブウインドウの表示が継続される構成としてもよい。例えば、押圧力Ｆが検知されなくなってから所定時間だけ表示を継続した後に消去してもよいし、非アクティブウインドウを消去するための所定の操作（例えば、操作入力部を操作する者が再び操作入力部に基準値未満又は基準値以上の押圧力を加えるなど）が行われるまで表示を継続してもよい。また、アクティブウインドウが表示された後、入力が行われない場合には所定の時間だけ待機した後にアクティブウインドウを消去してもよい。【００４４】
また、前記実施例では、押圧力Ｆが基準値Ｆｓ以上となる場合にアクティブウインドウを表示し、基準値Ｆｓ未満となる場合に非アクティブウインドウを表示するものとしたが、押圧力Ｆが基準値以上となる場合に非アクティブウインドウを表示し、基準値Ｆｓ未満となる場合にアクティブウインドウを表示する構成としてもよい。【００４５】
また、前記実施例では、電子機器１が車両Ｃに設けられるものとしたが、電子機器は、表示部と操作入力部とが異なる位置に設けられているものであればよく、例えばノートパソコン等の通信端末やテレビであってもよい。また、操作入力部は、押圧体によって押圧されるものであればよく、タッチパッドに限定されず、例えばマウスホイールやテレビなどを操作するリモコン等であってもよい。【００４６】
また、前記実施例では、透過度が低くなって表示が視認されやすくなっていくことを「顕在化」と呼んでいる。顕在化は、ウィンドウを視認させやすくするものであればよく、例えば、ウィンドウを拡大させることや、重なって表示される他のウィンドウの一部をウィンドウに対して後側に移動させること、などでも構わない。また、前記実施例では、透過度が高くなって表示が視認されにくくなっていくことを「潜在化」と呼んでいる。潜在化は、ウィンドウを視認しにくくするものであればよく、ウィンドウを縮小させることや、重なって表示される他のウィンドウをウィンドウに対して前側に移動させること、などでも構わない。【００４７】
また、前記実施例における基準値は、任意に設定できるが、例えば２０ｇ重から１００ｇ重の範囲、更には２０ｇ重から３０ｇ重の範囲で設定しても構わない。また、操作入力部が車両のステアリングホイールに設けられた場合には、基準値を、例えば車両のステアリングホイール又はその周囲に設けられているボタンの押圧力と同じ大きさに設定しても構わない。【００４８】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４９】
１          電子機器
２          表示部
３          操作入力部
Ｗ１、Ｗ３  非アクティブウインドウ
Ｗ２、Ｗ４  アクティブウインドウ
【図１】
2016199309.tif 000003
【図２】
2016199309.tif 000004
【図３】
2016199309.tif 000005
【図４】
2016199309.tif 000006
【図５】
2016199309.tif 000007
【図６】
2016199309.tif 000008
【図７】
2016199309.tif 000009
【国際調査報告】
2016199309.tif 000010
2016199309.tif 000011
2016199309.tif 000012
2016199309.tif 000013